(57)【要約】      （修正有）【課題】異なる種別のコンテンツを違和感なくまとめて視聴できる技術を提供する。【解決手段】コンテンツ（１）を視聴する際には必ず全ても見なければならない規定となっているコンテンツ（２）に関する視聴が終了しているかどうかを確認するため、コンテンツ（１）の視聴を一旦中断し、コンテンツ（２）の再生を開始する。次に、コンテンツ（２）の再生が完了しているか否かを判定し、完了するまで待ち、再生が完了した場合には、例えばユーザが視聴完了に関する操作を行い、これを受けてメモリに格納されコンテンツ（２）のリストを削除する。この際、コンテンツ自体をメモリ内から削除しても良い。その後は、コンテンツ（１）の続きを自由に視聴することができる。【選択図】図４
2007324816.tif 000002
【特許請求の範囲】
【請求項１】
コンテンツを表示する表示部と、コンテンツを取得するコンテンツ取得部と、コンテンツを格納する記憶部と、を有するコンテンツ視聴端末であって、
前記記憶部に記憶され、コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第１のコンテンツの再生が連続的になるように再生する制御を行う制御部を有することを特徴とするコンテンツ視聴端末。
【請求項２】
前記制御部は、前記第１のコンテンツを再生中において、一定時間経過した後に前記第１のコンテンツの再生を一時停止して前記第２のコンテンツの再生を開始する制御を行うことを特徴とする請求項１に記載のコンテンツ視聴端末。
【請求項３】
前記制御部は、前記第２のコンテンツの再生が終了した後に、前記第１のコンテンツの再生を開始する制御を行うことを特徴とする請求項１に記載のコンテンツ視聴端末。
【請求項４】
コンテンツを表示する表示部と、コンテンツを取得するコンテンツ取得部と、を有するコンテンツ視聴端末であって、
コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第２のコンテンツを前記第１のコンテンツの再生中に取得しておくことにより前記第１のコンテンツの再生が連続的になるように再生する制御を行う制御部を有することを特徴とするコンテンツ視聴端末。
【請求項５】
前記第２のコンテンツをどのタイミングで再生するかに関して、前記第１のコンテンツの取得時又は前記第１のコンテンツのストリーミング再生開始時に設定されることを特徴とする請求項４に記載のコンテンツ視聴端末。
【請求項６】
前記第２のコンテンツの再生終了後に、操作部を操作することにより前記第１のコンテンツの再生が再開されることを特徴とする請求項４に記載のコンテンツ視聴端末。
【請求項７】
コンテンツを再生するコンテンツ再生部と、コンテンツを取得するコンテンツ取得部と、コンテンツを格納する記憶部と、を有するコンテンツ再生端末であって、
前記記憶部に記憶され、コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第１のコンテンツの再生が連続的になるように再生する制御を行う制御部を有することを特徴とするコンテンツ視聴端末。
【請求項８】
コンテンツを表示する表示部と、コンテンツを取得するコンテンツ取得部と、コンテンツを格納する記憶部と、を有するコンテンツ視聴端末を制御するためのプログラムであって、
前記記憶部に記憶され、コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第１のコンテンツの再生が連続的になるように再生する制御ステップを有することを特徴とするプログラム。
【請求項９】
請求項８に記載のプログラムを記録したコンピュータ読みとり可能な記録媒体。
【発明の詳細な説明】
【技術分野】
【０００１】
本発明は、コンテンツ視聴端末に関し、特に、異なる種別のコンテンツを視聴する技術に関する。
【背景技術】
【０００２】
異なる種別のコンテンツを視聴する例としては、例えば、放送局が放送（コンテンツ（１））に広告（コンテンツ（２））を挿入することによって無料放送を実現しているものがある。例えば、下記特許文献１においては、視聴者端末がネットワークを介して番組配信サーバにアクセスすると、映像および音声がストリーミングで送られ、番組配信サーバは番組や広告のデータを蓄積しておいて配信する技術が開示されている。この際、視聴者があらかじめ番組スポンサーの広告をまとめて見ると、その端末上で所定期間、所定のコンテンツが出力されていたことが記録され、その条件が満たされると、その後の番組の出力状態を変更し、例えば、番組を広告による中断無しで視聴することができるようなシステムが提案されている。また、ユーザ別に興味のある広告を挿入することによって、広告効果を高めるだけでなく、ユーザに広告を苦と思わせないようにする工夫もなされている。
【０００３】
【特許文献１】特開２００３−６１０６２号公報
【発明の開示】
【発明が解決しようとする課題】
【０００４】
しかしながら、上記特許文献１に記載の技術においては、テレビ番組局の都合で広告データが挿入されるため、番組の中の真に見たい場面などが中断されてしまう可能性があり、中断されることによって番組コンテンツの価値が落ちてしまうという問題があった。
【０００５】
また、テレビ番組局はスポンサー広告を番組にあらかじめ挿入し、その動画データを送信しており、放送局側でユーザに応じた放送データ（動画映像）を作成するのは、機器の処理量が非常に大きくなってしまうので、現実的ではないという問題もある。 
【０００６】
本発明は、異なる種別のコンテンツを違和感なくまとめて視聴できる技術を提供することを特徴とする。
【課題を解決するための手段】
【０００７】
本発明は、以下の構成を有する。
１）広告データと、広告データが含まれていない素の動画データを端末内にあらかじめ持っておく。
【０００８】
２）通常は端末内にて動画データに広告データを挿入し、広告入り動画データを再生する。
【０００９】
３）広告データを暇なときに先に見ておくことによって、動画データに広告が含まれることなく閲覧することができる。
【００１０】
すなわち、本発明の一観点によれば、コンテンツを表示する表示部と、コンテンツを取得するコンテンツ取得部と、コンテンツを格納する記憶部と、を有するコンテンツ視聴端末であって、前記記憶部に記憶され、コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第１のコンテンツの再生が連続的になるように再生する制御を行う制御部を有することを特徴とするコンテンツ視聴端末が提供される。
【００１１】
前記制御部は、前記第１のコンテンツを再生中において、一定時間経過した後に前記第１のコンテンツの再生を一時停止して前記第２のコンテンツの再生を開始する制御を行うことを特徴とする。また、前記制御部は、前記第２のコンテンツの再生が終了した後に、前記第１のコンテンツの再生を開始する制御を行うことを特徴とする。前記第２のコンテンツを予め再生しておくことにより、前記第１のコンテンツ再生中に前記コンテンツが再生されることをなくすことができる。
【００１２】
本発明の他の観点によれば、コンテンツを表示する表示部と、コンテンツを取得するコンテンツ取得部と、を有するコンテンツ視聴端末であって、コンテンツの本編を形成する第１のコンテンツと、該第１のコンテンツに対して付加される第２のコンテンツであって該第２のコンテンツの再生が前記第１のコンテンツの再生条件となっている第２のコンテンツとを、前記第２のコンテンツを前記第１のコンテンツの再生中に取得しておくことにより前記第１のコンテンツの再生が連続的になるように再生する制御を行う制御部を有することを特徴とするコンテンツ視聴端末が提供される。
コンテンツ（１）をストリーミング再生中にコンテンツ（２）をダウンロードしておくことで、端末内にコンテンツ（１）をあらかじめ保持しておかなくても同様の処理が可能である。
【００１３】
前記第２のコンテンツをどのタイミングで再生するかに関して、前記第１のコンテンツの取得時又は前記第１のコンテンツのストリーミング再生開始時に設定されることが好ましい。コンテンツ（２）をあらかじめ再生しておくと、コンテンツ（１）再生中にコンテンツ（２）が再生されることが無くなる。尚、第２のコンテンツは複数あってもよい。
【００１４】
前記第２のコンテンツの再生終了後に、操作部を操作することにより前記第１のコンテンツの再生が再開されることが好ましい。
尚、コンテンツ（１）は第一のコンテンツ、コンテンツ（２）は第２のコンテンツに対応する。
【発明の効果】
【００１５】
本発明によれば、広告データをあらかじめ閲覧しておくことにより、実コンテンツ再生中に広告データが挿入されなくすることができる。従って、実コンテンツを連続的に視聴することが可能になるという利点がある。
【発明を実施するための最良の形態】
【００１６】
本実施の形態においては、コンテンツ（１）とコンテンツ（２）とは、互いに識別可能なコンテンツであり、一方を視聴しないと他方を視聴できないという関係にあることを前提とする。例えば、ＣＭを視聴しなければ、ＣＭと関連する放送を視聴できないようになっていることを前提としている。
【００１７】
以下に、本発明の一実施の形態によるコンテンツ視聴システムについて、図面を参照しながら説明を行う。以下においては、コンテンツ（１）は本編、コンテンツ（２）はＣＭとし、本編中にＣＭが数カ所挿入されている一般的な例について説明する。図１（Ａ）、（Ｂ）は、本実施の形態によるコンテンツ視聴システムの概略を示す図である。利用者１ａはコンテンツ視聴を行うことができるマルチメディア端末１を所持している。マルチメディア端末１は、コンテンツを表示する表示部３と、データを入力するデータ入力部５と、種々の操作を行う操作部７と、音声を出力する音出力部１１とを有している。
【００１８】
表示部３は、液晶ディスプレイ、有機ＥＬ、もしくは、発光ダイオードやランプ等である。操作部７は、ボタン、タッチパネル、トラックボール、または、端末に接続されたリモコン、電波や赤外線等の無線で操作するリモコン等である。音出力部１１は、内蔵スピーカー、イヤホン出力端子、等である。データ入力部５は、外部メモリ（メモリカード等）などの物理メディア、ＬＡＮなどのケーブル接続、無線ＬＡＮや赤外線通信などの無線接続、等を行うインターフェイスである。
【００１９】
図２に示すように、上記の各構成要素はバスにより接続されており、その他、全体を制御するＣＰＵ１５と、コンテンツデータやプログラム等を記憶するメモリ１７と、が含まれている。
【００２０】
まず、本実施の形態による処理について説明する前に、図３を参照しながら、コンテンツ（１）とコンテンツ（２）との一般的な再生処理の仕組みについて説明する。図３に示すように、まず処理を開始すると（ステップＳ１：ＳＴＲＡＴ）、ステップＳ３において、コンテンツ（１）すなわち本編の再生を開始する。ステップＳ２において、放送局側の設定を読み込む。この設定とは、例えば、コンテンツ（１）を１０分間再生した後、コンテンツ（２）の一部を１５秒間再生し、というような繰り返しを行うなどの設定である。ステップＳ４においては、上記設定による設定時間に応じてタイマによる計時を開始する。
【００２１】
ステップＳ５において、タイマによる所定の計時期間が完了したか否かを判定していく。タイマによる所定の計時が完了した場合には（ＹＥＳ）、ステップＳ６に進み、コンテンツ（１）の再生を一時停止する。次いで、ステップＳ７において、コンテンツ（２）の再生を介しし、ステップＳ８においてコンテンツ（２）の規定時間の再生が完了したか否かを判定する。コンテンツ（２）の再生が終了すると（ＹＥＳ）、ステップＳ９においてコンテンツ（２）の再生を停止する。次いで、ステップＳ１０においてコンテンツ（１）の再生を再開し、ステップＳ１１において、コンテンツ（１）の全ての再生処理が完了したか否かを判定し、完了していれば（ＹＥＳ）ステップＳ１２に進み処理を終了し、完了していなければ（ＮＯ）ステップＳ３に戻り、処理を継続する。
【００２２】
次に、図４のフローチャート図を参照しながら、本実施の形態によるコンテンツ視聴システムにおける動作について説明する。本例では、メモリ１７に、コンテンツ（１）とコンテンツ（２）とのデータを予め格納しておくことを前提とする。
【００２３】
ここで、例えば広告（ＣＭ）であるコンテンツ（２）に関しては、コンテンツ（２）−ｎ（ｎは自然数）で表現する。図４に示すように、まず、ステップＳ２１において処理を開始し（ＳＴＡＲＴ）、ステップＳ２２において、コンテンツＩＤｎにおいてｎ＝１とし、ステップＳ２３においてコンテンツ（２）−ｎの再生を開始する。ステップＳ２４において、コンテンツ（２）−ｎの再生が完了しているか否かを判定し、完了するまで待ち（Ｙｅｓ）、再生が完了した場合には、例えばユーザが視聴完了に関する操作を行い、これを受けてメモリ１７に格納され再生が完了したコンテンツ（２）−ｎを再生するコンテンツのリストから削除する（ステップＳ２５）。この際、コンテンツ自体をメモリ１７内から削除しても良い。
【００２４】
次いで、ステップＳ２６において、未再生のコンテンツ（２）がまだ残っているか否かを判定し、残っていれば（ＹＥＳ）ステップＳ２８においてｎに１を加算し、ステップＳ２３に戻る。残っていなければ（ＮＯ）ステップＳ２７において処理を終了する。
【００２５】
上記の処理により、コンテンツ（１）を視聴する際には必ず全ても見なければならない規定となっているコンテンツ（２）に関する視聴が終了していることが確認できる。その後は、コンテンツ（１）を自由に視聴することができる。
【００２６】
図５は、コンテンツ（２）端末リストであり、複数のコンテンツ（２）−１、２、３、４、…とその再生状況をテーブル化したものである。このテーブルにおいて、コンテンツ（２）の再生が終了しているか未終了であるかを管理することができ、このテーブルに基づいて上記図４の処理におけるステップＳ２６の判断を行うことができる。
【００２７】
以上に説明したように、本実施の形態においては、コンテンツ（１）とコンテンツ（２）とを予め端末内に保持しておき、コンテンツ（１）再生開始後、一定時間経過した後にコンテンツ（１）の再生を一時停止し、コンテンツ（２）の再生を開始する。コンテンツ（２）の再生が終了すると、コンテンツ（１）の再生を再開する。コンテンツ（２）を予め再生してある場合、コンテンツ（１）再生時にコンテンツ（２）が挿入されることがなくなる。このようにすると、放送局側でコンテンツに挿入された広告を、利用者側は暇なときに見ておけば、放送時に広告の挿入により本編の視聴を中断されることがなくなる。
【００２８】
尚、広告の挿入のタイミングは、コンテンツダウンロード時に取得することが可能であり、広告データダウンロード時においても可能である。さらに、ネットワークや無線を利用して、ユーザの意識とは無関係に自動的にダウンロードしておくようにすることも可能である。
【００２９】
次に、本発明の一実施の形態の変形例による技術について図面を参照しながら説明する。図６（Ａ）は、コンテンツＩＤと再生タイミング情報の対応テーブル例であり、図６（Ｂ）は、ストリーミング再生の時間推移を示す例である。本変形例においては、コンテンツ（２）−２、例えば広告データ内に、それぞれがどの時点で（いつ）再生されるべきか（ストリーミング再生再開タイミングｔｎ等）に関する再生タイミング情報を含んでいる点を特徴とする（図６（Ａ））。この場合に、再生するべきタイミング又は時刻がコンテンツデータ内に含まれていてもよい。
【００３０】
尚、再生するタイミングを、コンテンツ（２）と、コンテンツデータのいずれに含むか、またいずれに含むかによる違いに関しては、例えば、以下のように説明することができる。
【００３１】
１）コンテンツデータはコンテンツ配信本体側のコンテンツであり、一般的に常に再生されている。
２）コンテンツ（２）は例えば広告であり、必要なタイミングでのみ再生される。
３）コンテンツデータに再生タイミング（時間）を含めた場合、再生開始からその時間をカウントして「コンテンツデータ停止→コンテンツ（２）再生」を行えばよい。
４）コンテンツ（２）に再生タイミングを含めた場合には、コンテンツデータはいつ広告が再生されるのかが分からないので、例えば以下のような方法を用いて実現する。
【００３２】
(ａ)コンテンツ（２）を取得時、コンテンツ（２）の再生タイミングをコンテンツ（２）の中に登録する。
(ｂ)コンテンツ（２）を監視する別のタスクを設け、再生タイミングが来た時点でコンテンツデータの再生を停止し、コンテンツ（２）の再生を開始する。
(ｃ)コンテンツ（２）を再生するタイミングをタイマ等に登録しておき、そのタイマのタイムアウトによって動作を開始する。
【００３３】
上記の構成によれば、コンテンツ（１）がストリーミング再生の場合に、再生中に広告データを端末内にダウンロードしておくことにより、通常、コンテンツを端末内にダウンロードする場合と同様に処理することが可能になる。ストリーミングを一時中断した時点を再生時間情報として指定しておけば、ストリーミングを一時中断した際（例えば、電波の受信状況が悪くなった時刻ｔ１からｔ２までの間）にコンテンツ（２）−２の広告のみを先に見てしまうことにより、ストリーミング再生中に広告が挿入されてストリーミング再生が見にくくなるというようなことが生じなくなくなるという利点がある。図６（Ｂ）は例示であり、コンテンツ（２）−２の広告の視聴タイミングは、連続した期間でなくても良い。
【００３４】
広告の再生が終了した後に、利用者になんらかの操作を求める旨を報知することにより、広告を確実に見せることが可能になる。報知方法としては、表示部への表示、音声による出力など、その方法は問わない。
【００３５】
以上に説明したように、本変形例によれば、放送電波などの受信状況に応じて、ストリーミング再生が困難になった期間に広告を見てしまうこともできるため、ＣＭがユーザの視聴の妨げにならないという利点がある。
【産業上の利用可能性】
【００３６】
本発明は、コンテンツ再生装置に利用可能である。
【図面の簡単な説明】
【００３７】
【図１】図１（Ａ）、（Ｂ）は、本実施の形態によるコンテンツ視聴システムの概略を示す図である。
【図２】本実施の形態によるコンテンツ視聴システムの概略を示す機能ブロック図である。
【図３】コンテンツ（１）とコンテンツ（２）との一般的な再生処理の仕組みを示す図である。
【図４】本実施の形態によるコンテンツ視聴システムにおける動作を示すフローチャート図である。
【図５】コンテンツ（２）端末リストであり、複数のコンテンツ（２）−１、２、３、４、…とその再生状況をテーブル化したものである。
【図６】図６（Ａ）は、コンテンツＩＤと再生タイミング情報の対応テーブル例であり、図６（Ｂ）は、ストリーミング再生の時間推移を示す例である。
【符号の説明】
【００３８】
１ａ…利用者、１…マルチメディア端末、３…表示部、５…データ入力部、７…操作部、１１…音出力部。
【図１】
2007324816.tif 000003
【図２】
2007324816.tif 000004
【図３】
2007324816.tif 000005
【図４】
2007324816.tif 000006
【図５】
2007324816.tif 000007
【図６】
2007324816.tif 000008